(57)【特許請求の範囲】
【請求項１】
所定の搬送距離を置いて配置された２つの折り返しローラ（７１）間に懸装されかつ上下に離間した往路および復路から成る互に平行な２本の支持ケーブル（１ａ、１ｂ：２ａ、２ｂ）で構成された支持軌道（１，２）と、搬送方向に沿って表面に一定の間隔を置いて横方向に複数本のビーム（５）が配置されかつその両端に回転可能に取着されたローラ（６）によって前記支持軌道上を案内される無端コンベヤベルト（４）とを有し、前記コンベヤベルトの重量が、全て前記支持ケーブルに伝達されるように成した物品搬送用コンベヤ装置において、
前記無端コンベヤベルト（４）が、その表側に分割された個々の搬送セグメントを画成するために、前記ビーム（５）の下側に固定されていると同時に、該ベルトの底面（４１）上の両側縁に垂直方向にその伸延方向に連続して固定されると共に前後の端部を前記ビームの側面に固定された波形状縁部（４２）を備え、
更に、前記折り返しローラ（７１）近傍の前記無端コンベヤベルト（４）の上流および下流の端部領域に、各々端部が基盤（３０）に係留されていると共に上方対の支持ケーブル（１ａ，１ｂ）と下方対の支持ケーブル（２ａ，２ｂ）とを共に終端ドラム（１０）のまわりに巻回されるように上下各軌道に沿って案内している２つの案内レール（１１，１２）が設けられていることを特徴とする物品搬送用コンベヤ装置。
【請求項２】
前記ビーム（５）の高さが、前記波形状縁部（４２）の高さに等しいことを特徴とする請求項１に記載の物品搬送用コンベヤ装置。
【発明の詳細な説明】
【０００１】
【産業上の利用分野】
本発明は、所定の搬送距離を置いて配置された２つの折り返しローラ間に懸装されかつ上下に離間した往路および復路から成る互に平行な２本の支持ケーブルで構成された支持軌道と、搬送方向に沿って表面に一定の間隔を置いて横方向に複数本のビームが配置されかつその両端に回転可能に取着されたローラによって前記支持軌道上を案内される無端コンベヤベルトとを有し、前記コンベヤベルトの重量が、全て前記支持ケーブルに伝達されるように成した物品搬送用コンベヤ装置に関する。
【０００２】
【従来の技術】
この種の公知のコンベヤ装置は、所定の搬送距離を規定する両端領域の折り返しローラに張架されて案内される無端コンベヤベルトと、コンベヤベルトがその上に乗り且つコンベヤベルトの搬送表面より下方に配置される支持ローラとからなる。コンベヤベルトは、一方においてそれ自体の移動に必要な引っ張り力および他方において搬送のためにその上に載置されている物品の移動に必要なその重量に起因する引っ張り力に抗するのに十分な引っ張り強度を備えていなければならない。搬送される物品の重量によりコンベヤベルトが必要とする引っ張り強度は、コンベヤベルトの搬送表面より下に置かれた支持ローラ相互間の間隔が小さければ小さい程、無視可能な程度となる。
【０００３】
そのうえかかる公知のコンベヤ装置において支持ローラはコンベヤベルトに対して回転するだけでなく、コンベヤベルトが支持ローラ上で摺動するので、コンベヤベルト上に高い引っ張り応力が発生する。さらに、それによりコンベヤベルトの磨耗が生ずる。
【０００４】
【発明が解決すべき課題】
したがって、かかる公知のコンベヤ装置においては、現実的ではないが、非常に高い引っ張り強度を備えたコンベヤベルトを使用すれば、搬送装置の長さ全体にわたって支持ローラ相互の離間距離を大きく採ることが可能でありかつその数を減らすことが可能であり、またその逆に、低い引っ張り強度を備えたコンベヤベルトを使用しかつ多数の支持ローラを相互に近接して配置した構成とすれば、その場合に搬送される物品の重量に起因するコンベヤベルトに必要とされる引っ張り力を減少させることは可能である。しかしながら、その場合は多数の支持ローラを備える構造となるので設置費用は増加してしまう。
【０００５】
本発明の目的は、密接配置された多数の支持ローラまたは大きな構造の必然的に多大な出費を伴う付随的な支持装置を設ける必要がない比較的小さな引っ張り強度の無端コンベヤベルトを備えた物品搬送用コンベヤ装置を提供することにある。
【０００６】
【課題を解決するための手段】
本発明によれば、上記した目的は、前記無端コンベヤベルトが、その表側に分割された個々の搬送セグメントを画成するために、前記ビームの下側に固定されていると同時に、該ベルトの底面上の両側縁に垂直方向にその伸延方向に連続して固定されると共に前後の端部を前記ビームの側面に固定された波形状縁部を備え、更に、前記折り返しローラ近傍の前記無端コンベヤベルトの上流および下流の端部領域に、各々端部が基盤に係留されていると共に上方対の支持ケーブルと下方対の支持ケーブルとを共に終端ドラムのまわりに巻回されるように上下各軌道に沿って案内している２つの案内レールが設けられていることにより達成される。
【０００７】
好ましくは、前記ビームの高さは、前記波形状縁部の高さに等しい。
【０００８】
この種の物品搬送用コンベヤ装置が提供される結果として、案内レール上でのローラの転動のみが生じ、かつ結果としてコンベヤベルトの引っ張り応力が小さくて済む。その結果、コンベヤベルトは従来よりも小さい引っ張り強度のものを使用することが可能となる。その上、物品を積載されたコンベヤベルトは支持ローラの上を実質的に摺動しないので、どのような磨擦も受けないのでローラの磨耗も生じない。他の利点は、保守を必要とするかまたは磨耗したローラが周期的にコンベヤ装置の端部ステーシヨンに達し、かつ結果として静止した状態での保守または取り換え作業が行えるということである。それゆえ、コンベヤ装置の長さ全体にわたって保守作業を行うかまたは構成要素の取り換えを行う必要がない。
【０００９】
【発明の実施の形態】
本発明によるコンベヤ装置を図面に示した例示の実施形態によって以下でさらに詳細に説明する。
【００１０】
図１に示すように、本発明によるコンベヤ装置は異なる高さにおいて配置された各々２つの支持軌道１，２を構成する２対の支持ケーブル１ａ，１ｂ，２ａ，２ｂを有し、これらの支持ケーブルはコンベヤ装置の長さ全体にわたって延びかつケーブルカー装置の支持ケーブルと同様な方法において、その伸長行程に亘って何本かの柱３によって支持されかつコンベヤ装置の端部において地面にまたは基礎３０等に堅固に係留固定される。
【００１１】
２対の支持ケーブル１ａ、１ｂおよび２ａ、２ｂは無端コンベヤベルト４と連係し、無端コンベヤベルト４はコンベヤ装置の端部において折り返しローラ７１上に案内され、かかる折り返しローラ７１の少なくとも１つが駆動されている。緊張装置７２が、またコンベヤベルト４をその伸延方向に緊張するために設けられる。搬送されるべき物品をコンベヤベルト４の上に載置するための送り装置７３がコンベヤ装置の搬送開始位置の上方に設けられる。
【００１２】
コンベヤベルト４は、その両側の自由端にローラ６を備え、これらローラ６は、コンベヤ装置の上流及び下流の端部領域では走行する支持ケーブル１ａ，１ｂ，２ａ，２ｂから離される。一方で、コンベヤ装置の残部である中間部全体上でそれらは支持ケーブル１および２上で共に走行しかつ支持される。結果として、搬送されている物品の重量から生じる荷重はローラ６を介して支持ケーブル１ａ，１ｂ及び２ａ，２ｂによって吸収され、その結果コンベヤベルト４が破損から守られる。その上、ローラ６は転動を伴わない（オフローリング）動きのみが発生する。
【００１３】
コンベヤ装置の上流及び下流の端部領域において、図２に見られるように、搬送ケーブル１ａ、１ｂおよび２ａ、２ｂは終端ドラム１０のまわりに複数回巻回されかつ基礎３０に直に端部が係留される上方及び下方の案内レール１１および１２によって案内される。コンベヤ装置の端部領域において、上方の案内レール１１は下方の案内レール１２との交差を回避するために、案内レール１２に対して外側に向けて横方向に左右に拡がっている。従って、上方の案内レール１１によって案内される支持ケーブル１ａ，１ｂは、下方の案内レール１２によって案内される支持ケーブル２ａ、２ｂの外側に巻回されることとなる。
【００１４】
図３および図４は支柱３をより詳細に示す。図４に見られるように、左右の支柱３は異なる高さ位置においてそれらの間に横方向に伸びる２本の梁３１を含み、そして下から支持ケーブル１ａ、１ｂおよび２ａ、２ｂ、並びにローラ６を支持するのに役立つ支持ブロツク３２がこれらの梁３１の上に配置される。組み立ておよび保守に使用されるプラツトフォーム３３がまた梁３１に設けられている。
【００１５】
図５、図６、図７および図８には、コンベヤベルト４および支持ローラ６の実施形態がより詳細に示される。コンベヤベルト４の搬送経路に沿って相互に間隔を置いて配置されたビーム５が設けられ、その下側にコンベヤベルト４の底面４１が固定されている。さらに、ビーム５の側面にコンベヤベルト４の横方向に交互に折り返された波形状縁部４２が固定されている。
【００１６】
なお、これら波形状縁部４２はこれら図５乃至８から明らかなように、コンベヤベルトの両側縁に互いに対向するように搬送経路に沿って伸びており前後２本のビーム５と共にコンベヤベルトの上に連続した搬送セグメントを画成している。
【００１７】
図５から明らかなように、支持ケーブル１ａ，１ｂおよび２ａ，２ｂに沿って移動するローラ６はビーム５の自由端に支持される。搬送されるべき物品４０はコンベヤベルト４上に載置される。波形状縁部４２はベルトの可撓性を阻害しないので、コンベヤベルト４はその端部で折り返しローラ７１上を通過可能である。
【００１８】
物品４０によってコンベヤベルト４に作用する荷重の大部分はローラ６を介して支持ケーブル１および２に転嫁されるので、その固有の運動に要求される引っ張り強度のみがコンベヤベルト４により確保されることが必要である。そのうえ、コンベヤベルトは、ケーブル１ａおよび１ｂに対して可動である支持ローラ６を含んでおり、搬送されている物品４０から生じる荷重はコンベヤベルトで支承される必要はない。結果として、非常に大きな長さのコンベヤ装置を製造することが可能である。
【００１９】
【発明の効果】
叙上のごとく、本発明による物品搬送用コンベヤ装置は、所定の搬送距離を置いて配置された２つの折り返しローラ間に懸装されかつ上下に離間した往路および復路から成る互に平行な２本の支持ケーブルで構成された支持軌道と、搬送方向に沿って表面に一定の間隔を置いて横方向に複数本のビームが配置されかつその両端に回転可能に取着されたローラによって前記支持軌道上を案内される無端コンベヤベルトとを有し、前記コンベヤベルトの重量が、全て前記支持ケーブルに伝達されるように成した物品搬送用コンベヤ装置において、前記無端コンベヤベルトが、その表側に分割された個々の搬送セグメントを画成するために、前記ビームの下側に固定されていると同時に、該ベルトの底面上の両側縁に垂直方向にその伸延方向に連続して固定されると共に前後の端部を前記ビームの側面に固定された波形状縁部を備え、更に、前記折り返しローラ近傍の前記無端コンベヤベルトの上流および下流の端部領域に、各々端部が基盤に係留されていると共に上方対の支持ケーブルと下方対の支持ケーブルとを共に終端ドラムのまわりに巻回されるように上下各軌道に沿って案内している２つの案内レールが設けられている構成と成したので、大きな構造的な費用を必然的に伴う密接に間隔が置かれる支持ローラまたは他の支持装置を設けることなく、その引っ張り強さが比較的軽微であり得るコンベヤベルトを有するコンベヤ装置を提供することができる。
【図面の簡単な説明】
【図１】  コンベヤ装置の一端を示す側面図である。
【図２】  搬送方向に見た、このコンベヤ装置の細部を示す図である。
【図３】  搬送方向に見た、支柱を示す側面図である。
【図４】  搬送方向に見た、支柱を示す側面図である。
【図５】  このコンベヤ装置を支柱の外側で垂直断面において示す断面図である。
【図６】  このコンベヤ装置を支柱の外側で垂直断面において示す断面図である。
【図７】  支柱の外側のこのコンベヤ装置の１部分を示す側面図である。
【図８】  支柱の外側のこのコンベヤ装置の１部分を示す平面図である。
【符号の説明】
１  支持ケーブル
１ａ  支持ケーブル
１ｂ  支持ケーブル
２  支持ケーブル
２ａ  支持ケーブル
２ｂ  支持ケーブル
３  支柱
４  無端コンベヤベルト
５  ビーム
６  支持ローラ
１０  終端ドラム
１１  案内レール
４１  底面（コンベヤベルトの）
４２  波形状縁部
【図１】
0003703911.tif 000002
【図２】
0003703911.tif 000003
【図３】
0003703911.tif 000004
【図４】
0003703911.tif 000005
【図５】
0003703911.tif 000006
【図６】
0003703911.tif 000007
【図７】
0003703911.tif 000008
【図８】
0003703911.tif 000009